(57)【要約】【課題】  落下による衝撃によってエッジダメージが生じることを抑制できる磁気カートリッジを提供する。【解決手段】  長方体形状のカートリッジケース１１の内部に、磁気テープＴを巻回したテープリール１４を収容した磁気カートリッジ１０であって、カートリッジケース１１が、天板１２ｂと、天板１２ｂと平行な底板１３ｂと、天板１２ｂの周縁部から底板１３ｂの周縁部に至るように立設された側壁１２ａ，１３ａと有し、側壁１２ａ，１３ａの少なくとも一部に錘部材２１が取り付けられている。【選択図】  図１
2005317101.tif 000002
【特許請求の範囲】
【請求項１】
長方体形状のカートリッジケースの内部に、磁気テープを巻回したテープリールを収容した磁気カートリッジであって、
前記カートリッジケースが、天板と、前記天板と平行な底板と、前記天板の周縁部から前記底板の周縁部に至るように立設された側壁と有し、前記側壁の少なくとも一部に錘部材が取り付けられていることを特徴とする磁気カートリッジ。
【請求項２】
前記側壁に前記磁気テープを引き出すテープ引出口が設けられ、前記錘部材が、前記テープ引出口が設けられた前記側壁以外の側壁に設けられていることを特徴とする請求項１に記載の磁気カートリッジ。
【発明の詳細な説明】
【技術分野】
【０００１】
本発明は、磁気カートリッジに関し、特に、磁気テープの巻姿が乱れることを防止する磁気カートリッジに関する。
【背景技術】
【０００２】
図４は、磁気テープを巻装した磁気カートリッジを示す断面図である。図４に示すように、磁気カートリッジ１０１は、下フランジ１０３と上フランジ１０４とを組み合せてなるテープリール１０２を備え、下フランジ１０３から立設され、上フランジ１０４に係合する円筒形のハブ１０３ａの外周面に磁気テープ１０５が巻回されている。
【０００３】
ところで、図４に示すような磁気カートリッジ１０１は、落下等の外部からの衝撃を受けた場合に、巻回された磁気テープ１０５の一部がフランジ側へ飛び出す部分（以下、テープ突出部１０５ａとする。）が生じることがある。一方、外部からの衝撃を受けた場合に、テープリール１０２の下フランジ１０３や上フランジ１０４に変形が生じることがある。そして、落下の衝撃により、テープリール１０２の上フランジ１０４に外部からの負荷（例えば、図４に矢印Ｆで示す方向の負荷）がかかることで、上フランジ１０４が変形して磁気テープ１０５のテープ突出部１０５ａと接触し、磁気テープ１０５の縁部（テープエッジ）が折れ曲がるといったエッジダメージが生じることがある。
【０００４】
このようなエッジダメージが生じた磁気テープは、磁気記録を行う磁気記録装置の内部をガイドローラで搬送させると、エッジダメージが生じた部位においてガイドローラの周面との摺動に応じて走行する磁気テープがその幅方向（ガイドローラの軸方向）に振動してしまう現象が生じる。すると、磁気記録ヘッドが磁気テープに対してオフトラックし、トラッキングエラーとなることがある。
従来から、磁気テープにエッジダメージが生じることを抑制し、磁気テープを磁気記録再生装置などで走行させる際に該磁気テープが幅方向に振動してオフトラックを生じてしまうことを防止したいという要望があった。
【０００５】
一方、写真フィルム等では下記特許文献１及び２に示すように、写真フィルム用バルクロールの両端の表面にナーリング加工を施すことや凹凸を設けることが提案されている。これにより、巻ずれ等が防止されるとされる。
【０００６】
【特許文献１】特開２００２−６８５３８号公報
【特許文献２】特開平１１−２６２９５０号公報
【０００７】
本発明は、上記事情に鑑みてなされたもので、その目的は、落下による衝撃によってエッジダメージが生じることを防止できる磁気カートリッジを提供することにある。
【発明の開示】
【課題を解決するための手段】
【０００８】
ここで、磁気カートリッジ１０１が落下する向きとしては、主に、図２及び図３に示す２つの落下のパターンが考えられる。１つは、図２に示すように、カートリッジケース１１０が、テープリール１０２の上下のフランジ１０３，１０４と平行に設けられた天板又は底板から地面などの水平面Ｇに衝突するパターンが考えられる。もう１つは、図３に示すように、カートリッジケース１１０が、テープリール１０２に巻装された磁気テープ１０５の外周面と平行に設けられた側壁から水平面Ｇに衝突するパターンが考えられる。
【０００９】
図２に示す落下のパターンでは、テープリール１０２のフランジ１０３，１０４に対して磁気テープ１０５側へ押し曲げる負荷がかかりやすく、この負荷によって変形したフランジ１０３，１０４が巻装された磁気テープのテープ突出部１０５ａに接触し、磁気テープにエッジダメージが生じる可能性が高い。一方、図３に示す落下のパターンでは、テープリール１０２に巻装された磁気テープに、該磁気テープの厚さ方向に落下の衝撃が加わるため、テープリール１０２のフランジ１０３，１０４が磁気テープ１０５側には変形しづらく、これらフランジ１０３，１０４がテープ突出部１０５ａに接触する可能性は、図２の落下のパターンに比べて顕著に小さい。そこで、発明者は、磁気カートリッジを、落下の際に天板又は底板から水平面Ｇに衝突しないように構成することで、落下時の衝撃に起因してフランジ１０３，１０４がテープ突出部１０５ａに接触することが抑制され、この結果、磁気テープ１０５におけるエッジダメージが生じにくくなることを見出した。
【００１０】
本発明の上記目的は、長方体形状のカートリッジケースの内部に、磁気テープを巻回したテープリールを収容した磁気カートリッジであって、カートリッジケースが、天板と、天板と平行な底板と、天板の周縁部から底板の周縁部に至るように立設された側壁と有し、側壁の少なくとも一部に錘部材が取り付けられていることを特徴とする磁気カートリッジによって達成される。
【００１１】
上記磁気カートリッジは、カートリッジケースの側壁の少なくとも一部に錘部材が取り付けられているため、カートリッジケースにおける重量は、錘部材が取り付けられた側壁が錘部材がその他の側壁より大きくなる。すると、磁気カートリッジ全体の重量が錘部材が取り付けられている側と錘部材が取り付けられていない側とで偏ることでバランスが崩れ、磁気カートリッジを落下させた場合に、カートリッジケースにおける錘部材が取り付けられた側壁から水平面Ｇに衝突しやすくなる。このため、磁気カートリッジを落下させた場合に、錘部材が取り付けられた側壁から落下させることで、図２のように天板又は底板から水平面に衝突してしまうことを避けることができ、テープリールのフランジが磁気テープ側に変形してテープ突出部１０５ａ（図４参照）と接触することを抑制でき、エッジダメージが発生することを抑制することができる。
【００１２】
上記磁気カートリッジは、側壁に磁気テープを引き出すテープ引出口が設けられ、錘部材が、テープ引出口が設けられた側壁以外の側壁に設けられていることが好ましい。こうすれば、テープ引出口が設けられた側壁から落下したときの衝撃によって、機械的強度の低い該テープ引出口近傍の部材に影響を与えることを回避することができる。
【発明の効果】
【００１３】
本発明によれば、落下による衝撃によって磁気テープにエッジダメージが生じることを抑制できる磁気カートリッジを提供できる。
【発明を実施するための最良の形態】
【００１４】
以下、本発明の実施形態を図面に基づいて詳しく説明する。
図１は、本発明に係る磁気テープカートリッジの構成を分解して示す斜視図である。ここで「上ハーフ、下ハーフ」でいう「上」及び「下」は図１における上側及び下側にそれぞれ相当し、組付時において上側になるものを「上ハーフ」といい、下側になるものを「下ハーフ」という。また、その他の部材の説明において、上下方向は、図１における上下方向に相当する。
【００１５】
図１に示すように、磁気テープカートリッジ１０は、上ハーフ１２と下ハーフ１３とからなるカートリッジケース１１を備えている。
【００１６】
上ハーフ１２は、略正方形の天板１２ｂと、該天板１２ｂの各周縁辺から側壁１２ａが立設された形状である。下ハーフ１３は、略正方形の底板１３ｂと、該底板１３ｂの各周縁辺から側壁１３ａが立設された形状である。上ハーフ１２及び下ハーフ１３は一般的に樹脂成形によって一体的に構成される。上ハーフ１２の側壁１２ａの先端部と下ハーフ１３の側壁１３ａの先端部とを結合させることでカートリッジケース１１の側壁が構成される。カートリッジケースの構成は、本実施形態のように上ハーフ１２及び下ハーフ１３とからなる構成に限らず、天板と、天板と平行な底板と、天板及び底板の周縁部に立設された側壁とを有する構成であれば変形が可能である。
【００１７】
カートリッジケース１１の内部に、記録媒体である磁気テープＴが巻装された単一のテープリール１４が収容されている。また、カートリッジケース１１の内部に、テープリール１４の回転をロックするためのロックプレート１５ｂと、一端でロックプレート１５ｂをテープリール１４側へ付勢するとともに他端が上ハーフ１２に固定される圧縮コイルばね１５ｃと、テープリール１４のロック状態を解除するためのリリースパッド１５ａが備えられている。
【００１８】
カートリッジケース１１の角部を構成する角面１２ｃ，１３ｃには、磁気テープＴの端部に形成されたリーダーピンＬが引き出されるテープ引出口を構成する開孔１２ｄ，１３ｄがそれぞれ形成されている。また、テープ引出口を開閉するドア１６と、ドア１６を閉位置に付勢する引張コイルばね１７が下ハーフ１３に保持されている。引張コイルばね１７の一端はドア１６に取り付けられ、且つ、他端は下ハーフ１３から上側に向って突出するケース側ばね掛け部１８に取り付けられる。
【００１９】
本実施形態の磁気カートリッジ１０において、下ハーフ１３の側壁１３ａの１つ（図１に向って奥右側）の内側に錘部材２１が取り付けられている。錘部材２１の材質としては、例えば、鉛を使用でき、または、カートリッジケースを構成する樹脂より重量が重い材質であれば特に限定されない。
【００２０】
また、錘部材２１の質量としては、カートリッジケース全体の質量に対して３０％から５０％とすることが好ましく、具体的には７５グラムから１００グラムの範囲とすることが好ましい。
【００２１】
本実施形態において、錘部材２１は下ハーフ１３の側壁１３ａの内側に取り付ける構成としたが、上ハーフ１２の側壁１２ａのうち少なくとも１つの内側に取り付けてもよい。  また、錘部材２１は下ハーフ１３の側壁１３ａの内側全面を覆うように取り付けてもよいし、磁気カートリッジ１０の重量のバランスが崩れるように側壁１３ａの一部に取り付けてもよい。さらに、複数の錘部材を上ハーフ１２の側壁１２ａ又は下ハーフ１３の側壁１３ａに取り付けてもよい。
【００２２】
本実施形態において、錘部材２１を側壁１３ａに取り付ける際には、接着剤などで錘部材２１と側壁１３ａに取り付けてもよいし、下ハーフ１３の底面１３ｂや側壁１３ａにリブなどを設け機械的に取り付けてもよい。
【００２３】
磁気カートリッジ１０によれば、上ハーフ１２の側壁１２ａに錘部材２１が取り付けられているため、カートリッジケース１１における、錘部材２１が取り付けられた側壁１２ａの質量が、錘部材２１がその他の側壁１２ａの質量より大きくなる。すると、磁気カートリッジ１０全体の重量が錘部材２１が取り付けられている側と錘部材２１が取り付けられていない側とで偏ることでバランスが崩れ、磁気カートリッジ１０を落下させた場合に、カートリッジケース１１における錘部材２１が取り付けられた側壁１３ａから水平面Ｇに衝突しやすくなる。このため、磁気カートリッジを落下させた場合に、錘部材２１が取り付けられた側壁１３ａから落下させることで、図２のように天板１２ｂ又は底板１３ｂから水平面に衝突してしまうことを避けることができ、テープリール１４のフランジが磁気テープＴ側に変形して該磁気テープＴにおけるテープ突出部１０５ａ（図４参照）と接触することを抑制でき、エッジダメージが発生することを抑制することができる。
【００２４】
本実施形態のように、錘部材２１が、テープ引出口（１２ｄ，１３ｄ）が設けられた側壁１２ａ以外の側壁１２ａに設けられている構成とすれば、テープ引出口が設けられた側壁から落下することを防止できる。テープ引出口が設けられた側壁１２ａの近傍にはドア１６やドアを付勢支持する引張コイルばね１７やケース側ばね掛け部１８などの細かい部材が備えられており、テープ引出口が設けられた側壁１２ａから落下した場合には、ドア１６から引張コイルばね１７がはずれることやケース側ばね掛け部１８が破損するおそれがある。そこで、テープ引出口が設けられた側壁１２ａ以外の側壁１２ａに錘部材２１を取り付けることで、機械的強度の低い該テープ引出口近傍の部材に影響を与えることを回避することができる。
【図面の簡単な説明】
【００２５】
【図１】本発明に係る磁気テープカートリッジの構成を分解して示す斜視図である。
【図２】磁気カートリッジが天面又は底面から落下した状態を示す図である。
【図３】磁気カートリッジが側面から落下した状態を示す図である。
【図４】磁気テープを巻装した磁気カートリッジを示す断面図である。
【符号の説明】
【００２６】
１０    磁気カートリッジ
１１    カートリッジケース
１２    上ハーフ
１３    下ハーフ
１４    テープリール
２１    錘部材
【図１】
2005317101.tif 000003
【図２】
2005317101.tif 000004
【図３】
2005317101.tif 000005
【図４】
2005317101.tif 000006